(57)【特許請求の範囲】
【請求項１】
記録媒体に記録された音楽情報等の複数のデジタルデータを順次読み取って再生する再生手段と、前記再生手段によって順次読み取られた前記デジタルデータを記録媒体に順次記録する記録手段とを備え、前記記録手段は、前記再生手段により高速度で読み取られたデジタルデータを高速度で記録する高速記録モードと、当該高速記録モードの使用を高速記録終了時から所定時間が経過するまで制限する高速記録制限モードとを有する記録装置において、
前記高速記録制限モードの設定されたデジタルデータを高速度で再記録する際、このデジタルデータの記録処理を一時待機状態とし、前記高速記録制限モードが解除された後、前記高速度での再記録を行う高速記録待機モードを有し、
前記複数のデジタルデータを順次読み取って高速記録モードで順次高速記録する際、
該高速記録が終了したか否かの判定を行い、この判定で高速記録が継続中であると判定した場合、高速記録対象のデジタルデータが次のデジタルデータに移行したか否かの判定を行い、この判定で次のデジタルデータに移行したと判定した場合、該デジタルデータに前記高速記録制限モードが設定されているかの判定を行い、前記高速記録制限モードが設定されている場合、記録処理を停止し、前記高速記録待機モードに移行することを特徴とする記録装置。
【請求項２】
記録媒体に記録された音楽情報等の複数のデジタルデータを再生手段により所定の速度で順次読み取って再生し、前記所定の速度で順次読み取られた前記デジタルデータを記録手段により前記所定の速度で記録媒体に順次記録する記録方法において、
前記再生手段により高速度で順次読み取られたデジタルデータを前記記録手段により高速度で順次高速記録する際に、該高速記録が終了したか否かの判定を行い、この判定で高速記録が継続中であると判定した場合、高速記録対象のデジタルデータが次のデジタルデータに移行したか否かの判定を行い、この判定で次のデジタルデータに移行したと判定した場合で第１回目の高速記録が終了した時点から所定時間が経過する前に、同一のデジタルデータの第２回目の高速記録を行う場合、前記記録手段による記録を停止し、第２回目の高速記録を一時待機状態とし、前記所定時間の経過を待って前記第２回目の高速記録を実行することを特徴とする記録方法。
【発明の詳細な説明】
【０００１】
【発明の属する技術分野】
本発明は、音楽データ等のデジタルデータを高速に記録できる記録装置、及び、記録方法に関する。
【０００２】
【従来の技術】
近年、音楽データ等のデジタルデータを再生／記録するための記録媒体として、ディスク等の各種記録媒体が普及している。特にＣＤ（Compact Disc）は広く普及しており、音楽再生用のＣＤプレーヤーも各種開発されている。また、ユーザが音楽データ等のデジタルデータをＣＤのように再生することはもとより、記録することも可能な記録媒体も存在し、ＭＤ（Mini Disc）と呼ばれる光磁気ディスクとして実用化されている。
【０００３】
更に、ＭＤを用いた記録再生装置とＣＤを用いた再生装置とを一体化して一つの複合機器としたＣＤ／ＭＤ一体型記録再生装置も実用化されている。このようなＣＤ／ＭＤ一体型記録再生装置を用いれば、ＣＤに記録されている音楽データをＭＤにダビングすることが容易となるが、特に、高速ダビングの可能なＣＤ／ＭＤ一体型記録再生装置も実現されている。
【０００４】
【発明が解決しようとする課題】
しかし、従来の高速ダビングの可能なＣＤ／ＭＤ一体型記録再生装置では、メディアを無制限に高速ダビングするのは著作権保護の観点から望ましいものではなく、従って、デジタル録音向け高速複製制限システムの採用により、高速ダビングに制限が設けられている。
【０００５】
上記デジタル録音向け高速複製制限システムによれば、例えば、ＣＤに記録されている音楽データを記録用ＭＤに高速デジタル録音する場合、録音終了後７４分経過しなければ、この同一音楽データを再び高速でデジタル録音を行うことはできない。
【０００６】
また、音楽データを特定する手法としては、ＣＤのサブコードに記録されているＩＳＲＣ（International Standard Recording Code）を用いる方法や、或いは、ＴＯＣ（Table Of Contents）データ情報の一部を利用する方法等がある。
【０００７】
ここで、従来のＣＤ／ＭＤ一体型記録再生装置による高速ダビング処理に係る動作を、図６〜図８に基づいて詳細に説明する。
図６は、従来のＣＤ／ＭＤ一体型記録再生装置における高速ダビング処理を説明するフローチャートである。
【０００８】
図６において、ダビングの対象となるＣＤと、ダビング先のＭＤとは、ＣＤ／ＭＤ一体型記録再生装置に既にセットされているものとする。次いで、このＣＤに記録されている所定の音楽データ（トラック）をＭＤに高速ダビングするためのキー操作が従来のＣＤ／ＭＤ一体型記録再生装置の操作部において行われると、同装置の制御部は、当該音楽データ（トラック）に係る記録制限タイマが動作しているか否かを判定する（ステップＳ６０１）。
【０００９】
この記録制限タイマは、上記制御部により高速ダビング処理時にトラック単位で内蔵メモリにセットされるカウンタである。
【００１０】
ここで、上記記録制限タイマが動作しているか否かの判定処理を詳細に説明する。まず制御部は、このトラック名のカウンタがタイマファイル（図２参照）にセットされているか否かを判定する。このトラック名のカウンタがセットされていない場合、制御部は、このトラック名に対応する記録制限タイマは動作していないと判定し、このトラック名のカウンタをこのタイマファイルにセットする。このトラック名のカウンタがセットされている場合、制御部は、そのカウント値がゼロであるか否かを判定する。このカウント値がゼロである場合、このトラック名に対応する記録制限タイマは動作していないと判定する。また、カウント値がゼロでない場合、制御部は、このトラック名に対応する記録制限タイマは動作していると判定する。
【００１１】
また、高速ダビングの対象となるトラックは、１トラック（１曲）だけに限らず、複数トラック、或いはＣＤに記録されている全トラックであってもよい。特に、複数トラックを高速ダビングする際、ステップＳ６０１において行われる記録制限タイマの動作状況の判定は、１トラック毎に行われるものとする。例えば、ＣＤの１曲目と２曲目が高速ダビングされる場合、まず１曲目のトラックに対応する記録制限タイマの動作状況が判定され、次いで、１曲目の高速ダビングが終了した後に２曲目のトラックに対応する記録制限タイマの動作状況が判定される。
【００１２】
ステップＳ６０１において、高速ダビングの対象となるトラック名に対応する記録制限タイマが動作中であると判定した場合、制御部は、高速ダビングが不可能であることを表示するとともに、高速ダビングが可能となるまでに要する時間を表示し（ステップＳ６０２）、高速ダビング処理を終了する（ステップＳ６０３）。
【００１３】
ここで、上記ステップＳ６０２において表示されるメッセージの一例を図８に示す。図８に示すメッセージの表示例では、“ＣＡＮＮＯＴ  ＲＥＣ”の表示により、高速ダビングが不可能であることが示され、また、“ｗａｉｔ  ７３：５９”の表示により、次に高速ダビングが可能となるまでの待ち時間が表示される。そして、この待ち時間はカウントダウンしながら表示される。
【００１４】
なお、図８に例示されるメッセージを一定時間後（例えば８秒後）に表示画面上から消すように設定しても良いし、また、ユーザのキー操作がおこなわれるまで表示画面上に表示し続けるようにしたり、或いは、記録制限タイマの動作が停止するまで、すなわち、表示画面上のメッセージが“ｗａｉｔ  ００：００”となるまで表示し続けるようにする等、設定は自由である。
【００１５】
ステップＳ６０１において、高速ダビングの対象となるトラック名に対応する記録制限タイマが動作中ではないと判定した場合、制御部は、高速ダビングに係るアプリケーションプログラムの実行により高速ダビングを開始し（ステップＳ６０４）、このトラックに対する記録制限タイマを７４分にセットする（ステップＳ６０５）。
【００１６】
次いで、制御部は、高速ダビング処理が継続中か、あるいは終了したかを判定し（ステップＳ６０６）、高速ダビング処理が終了したと判定した場合は（ステップＳ６０６；Ｙｅｓ）、ステップＳ６０３に移行して高速ダビング処理を終了する。
【００１７】
ステップＳ６０６において、高速ダビング処理は継続中であると判定した場合、高速ダビング中のトラックが高速ダビング開始時と同一であるか、或いは、次のトラックに移行したかを判定する（ステップＳ６０７）。
【００１８】
制御部は、次のトラックに移行したと判定した場合（ステップＳ６０７；Ｙｅｓ）、制御部は、このトラック名に対応する記録制限タイマが動作しているか否かを判定する（ステップＳ６０８）。
【００１９】
次いで、この記録制限タイマは動作していると判定した場合（ステップＳ６０８；Ｙｅｓ）、制御部は、ステップＳ６０２に移行して高速ダビングが不可能であることを表示するとともに、高速ダビングが可能となるまでに要する時間を表示して高速ダビング処理を停止する（ステップＳ６０３）。
【００２０】
また、ステップＳ６０８において、上記記録制限タイマは動作していないと判定した場合（ステップＳ６０８；Ｎｏ）、制御部は、ステップＳ６０５に移行し、この記録制限タイマを７４分にセットして高速ダビング処理を実行する。
【００２１】
ステップＳ６０７において、高速ダビング中のトラックが高速ダビング開始時と同一であると判定した場合（ステップＳ６０７；Ｎｏ）、制御部は、ステップＳ６０５において既にカウントを開始した記録制限タイマを初期化し、改めて７４分にセットし（ステップＳ６０９）、ステップＳ６０６に移行する。
【００２２】
ステップＳ６０９において、高速ダビングが終了するまでの間、記録制限タイマが初期化されることによって高速ダビング中のトラックに対する記録制限タイマは７４分に維持される。高速ダビングが終了すると、ステップＳ６０９における記録制限タイマの初期化は行われなくなり、タイマは７４分が経過するまでカウントし続ける。
【００２３】
すなわち、ステップＳ６０９に係る上記動作により、上記記録制限タイマは、高速ダビング終了時にセットされ、その７４分後に解除される。
【００２４】
なお、この記録制限タイマにセットされる時間は７４分に限るものではなく、ＣＤに記録されている全トラックを通常の速度でＭＤへダビングするのに要する時間を超えていれば良い。例えは、７４分ではなく、８０分等としても良い。
【００２５】
また、この記録制限タイマを高速ダビング開始時にセットされるようにしても良い。その場合、制御部は、上記ステップ６０７において高速ダビング中のトラックが高速ダビング開始時と同一であると判定すると（ステップＳ６０７；Ｎｏ）、ステップＳ６０９を介さずに直接ステップＳ６０６へ移行する。
【００２６】
図７（ａ）は、タイマ割り込み処理を説明するフローチャートであり、図７（ｂ）は、タイマのカウント処理を説明するフローチャートである。
【００２７】
図７（ａ）に示すタイマ割り込み処理は、例えば１分ごとに発生する割り込み要求に応じて高速ダビング中のトラック毎に実行されるものであり、その各ステップは、図７（ｂ）に示す記録制限タイマのカウント処理によって実行される。この場合、トラックＡ〜Ｃの３曲分の音楽データを高速ダビングするものとして以下の動作を説明する。
【００２８】
図７（ａ）に示すように、まず、トラック“Ａ”に対応する記録制限タイマＡのカウント処理が実行され（ステップＳ７１）、トラック“Ａ”のカウント処理が終了すると、トラック“Ｂ”に対応する記録制限タイマＢのカウント処理を実行する（ステップＳ７２）。次いで、トラック“Ｂ”のカウント処理が終了すると、トラック“Ｃ”に対応する記録制限タイマＣのカウント処理を実行して（ステップＳ７３）、タイマ割り込み処理を終了する。
【００２９】
図７（ｂ）に示すように、トラック名“＊”（＊は、Ａ、Ｂ、Ｃのうち何れかを示す）のカウント処理では、タイマファイル（図２参照）に示すトラックＡ〜Ｃ毎にセットされたカウンタ、すなわち、記録制限タイマ（＊）のカウント値がゼロか否かを判定する（ステップＳ７４）。このタイマのカウント値がゼロであると判定した場合、次のトラックのタイマ割り込み処理に戻って次のトラックのカウント処理に移行する。
【００３０】
ステップＳ７４において、カウント値がゼロではないと判定した場合、このカウント値から１を引いた値を新たなカウント値としてタイマファイルを更新する（ステップＳ７５）。
【００３１】
なお、タイマ割り込み処理に対する割り込み要求を１分毎に発生するものとしたが、１秒ごとに割り込み要求を発生するようにしても良い。
【００３２】
以上説明したように、従来のＣＤ／ＭＤ一体型記録再生装置による高速ダビング処理によれば、所定トラックの高速ダビング終了と同時にこのトラックに対し７４分に対応する記録制限タイマのカウントダウンが開始され、７４分が経過するまでこのトラックの高速ダビングを行うことができないため、ユーザにとって使い勝手が良くないという問題があった。
【００３３】
本発明の課題は、音楽データ等の複数のデジタルデータを連続して高速ダビングする際、著作権保護の為に設けられた記録制限の下においても、デジタルデータの記録操作を快適に行うことが可能な、使い勝手の良い記録装置を提供することである。
【００３４】
【課題を解決するための手段】
本発明は、このような課題を解決するために、次のような特徴を備えている。なお、次に示す手段の説明中、括弧書きにより実施の形態に対応する構成を一例として示す。符号等は、後述する図面参照符号等である。
【００３５】
請求項１記載の発明は、記録媒体に記録された音楽情報等の複数のデジタルデータを順次読み取って再生する再生手段（例えば、図１に示すＣＤ部２０）と、前記再生手段によって順次読み取られた前記デジタルデータを記録媒体に順次記録する記録手段（例えば、図１に示すＭＤ部３０）とを備え、前記記録手段は、前記再生手段により高速度で読み取られたデジタルデータを高速度で記録する高速記録モードと、当該高速記録モードの使用を高速記録終了時から所定時間が経過するまで制限する高速記録制限モードとを有する記録装置（例えば、図１に示すダビング装置１）において、前記高速記録制限モードの設定されたデジタルデータを高速度で再記録する際、このデジタルデータの記録処理を一時待機状態とし、前記高速記録制限モードが解除された後、前記高速度での再記録を行う高速記録待機モードを有し、前記複数のデジタルデータを順次読み取って高速記録モードで順次高速記録する際、該高速記録が終了したか否かの判定を行い、この判定で高速記録が継続中であると判定した場合、高速記録対象のデジタルデータが次のデジタルデータに移行したか否かの判定を行い、この判定で次のデジタルデータに移行したと判定した場合、該デジタルデータに前記高速記録制限モードが設定されているかの判定を行い、前記高速記録制限モードが設定されている場合、記録処理を停止し、前記高速記録待機モードに移行することを特徴とする。
【００３６】
請求項１記載の発明によれば、第１の記録媒体に記録された音楽情報等のデジタルデータを読み取って再生する再生手段と、前記再生手段によって読み取られた音楽情報等のデジタルデータを第２の記録媒体に記録する記録手段とを備え、前記記録手段は、前記再生手段により高速度で読み取られたデジタルデータを高速度で記録する高速記録モードと、当該高速記録モードの使用を高速記録終了時から所定時間が経過するまで制限する高速記録制限モードとを有する記録装置において、高速記録待機モードは、前記高速記録制限モードの設定されたデジタルデータを高速度で再記録する際、このデジタルデータの記録処理を一時待機状態とし、前記高速記録制限モードが解除された後、前記高速度での再記録を行う。
【００３７】
また、請求項２記載の発明は、記録媒体に記録された音楽情報等の複数のデジタルデータを再生手段により所定の速度で順次読み取って再生し、前記所定の速度で順次読み取られた前記デジタルデータを記録手段により前記所定の速度で記録媒体に順次記録する記録方法において、前記再生手段により高速度で順次読み取られたデジタルデータを前記記録手段により高速度で順次高速記録する際に、該高速記録が終了したか否かの判定を行い、この判定で高速記録が継続中であると判定した場合、高速記録対象のデジタルデータが次のデジタルデータに移行したか否かの判定を行い、この判定で次のデジタルデータに移行したと判定した場合で第１回目の高速記録が終了した時点から所定時間が経過する前に、同一のデジタルデータの第２回目の高速記録を行う場合、前記記録手段による記録を停止し、第２回目の高速記録を一時待機状態とし、前記所定時間の経過を待って前記第２回目の高速記録を実行することを特徴とする。
【００３８】
従って、請求項１及び請求項２記載の発明によって、ユーザは、高速記録制限モードの解除を自ら確認する必要がなくなり、高速記録制限モードの解除の確認に要する時間と労力を解消することが可能となるため、ユーザにとって使い勝手の良い記録装置を提供することができる。
【００４２】
【発明の実施の形態】
以下、図１〜図５を参照して本発明の実施の形態におけるダビング装置１について詳細に説明する。
【００４３】
このダビング装置１は、ＣＤの再生部とＭＤの再生／記録部とが一体化して構成されてなるＣＤ／ＭＤ一体型記録再生装置であり、ＣＤ及びＭＤに記録されている音楽データの再生、及び、ＣＤからＭＤへの音楽データのダビングが可能である。更に、ダビング装置１は、ＣＤに記録されている音楽データを、例えば２倍速以上の高速度でＭＤへダビングすることができる。
【００４４】
図１は、本発明の一実施の形態におけるダビング装置１の内部構成を示す概略ブロック図である。
図１に示すように、ダビング装置１は、制御部１０、操作部１１、表示部１２、ＣＤ部２０、ＭＤ部３０、スイッチ４０、５０、Ｄ／Ａ変換器６０、Ａ／Ｄ変換器７０、及び、アンプ８０により構成される。
【００４５】
制御部１０は、ＣＤ部２０と、ケーブルＣ１及びケーブルＩ１を介して接続され、また、ケーブルＣ２及びケーブルＩ２を介してＭＤ部３０と接続される。更に、制御部１０は、スイッチ４０、５０と、それぞれケーブルＣ３、Ｃ４を介して接続され、更に、バスを介して操作部１１、及び、表示部１２と接続される。スイッチ４０は、ＣＤ出力端子Ｐ１、ＭＤ出力端子Ｐ２、及びＤ／Ａ変換器６０と接続され、Ｄ／Ａ変換器６０は、アンプ８０を介して出力端子Ｐ６に接続される。スイッチ５０は、ＣＤ出力端子Ｐ１、ＭＤ入力端子Ｐ３、及びＡ／Ｄ変換器７０と接続され、Ａ／Ｄ変換器７０は入力端子Ｐ７と接続される。
【００４６】
制御部１０は、ＣＰＵ（図示略）、及びＲＯＭやＲＡＭ等の記憶装置（図示略）がバスによって接続されてなるものである。この記憶装置内には、ダビング装置１の動作を制御するアプリケーションプログラム、及び、ダビング装置１に装着されるＣＤ、ＭＤに記録される各種管理情報や後述するタイマファイル（図２参照）等が記憶される。
【００４７】
図２は、本発明の一実施の形態におけるダビング装置１に記憶されるタイマファイルの一例である。
図２に例示する上記タイマファイルは、ＣＤに記録される音楽データをＭＤへ高速ダビングする際、制御部１０によって作成されるものであり、高速ダビングの対象となるトラックのトラック名と、これら各トラックにそれぞれ対応する記録制限タイマのカウント値とが、トラック毎に記録されるものである。図２に例示するタイマファイルには、３つのトラックのトラック名Ａ〜Ｃと、それぞれのトラック毎にセットされる記録制限タイマのカウント値とが記憶される。例えば、記録制限タイマのカウント値が“０”であるトラックＡは、高速ダビングの制限は解除され、いつでも高速ダビングが可能な状態にあり、また、記録制限タイマのカウント値が“１０”であるトラックＢは、１０分経過した後、高速ダビングの制限が解除される状態にあることがわかる。
【００４８】
制御部１０は、ケーブルＣ１、Ｃ２を介して、ＣＤ及びＭＤの再生／記録に係る動作を制御する各種制御信号をＣＤ部２０、ＭＤ部３０へそれぞれ出力する。また、制御部１０は、ケーブルＩ１、Ｉ２を介して、ＣＤ，ＭＤに記録される各種管理情報等をＣＤ部２０、ＭＤ部３０からそれぞれ取得する。
【００４９】
ケーブルＣ１を介して制御部１０からＣＤ部２０へ送信される上記制御信号は、ＣＤの再生動作を制御するものであり、再生命令、停止命令、一時停止命令、アクセス命令、及び、サーボ系制御命令等である。また、制御部１０がケーブルＩ１を介してＣＤ部２０から取得する上記各種管理情報は、ＣＤに記録されている目次情報（トラック番号、演奏時間等）やアドレス情報等である。制御部１０は、これら管理情報により、再生するトラックのアドレス等を指定することができる。
【００５０】
ケーブルＣ２を介して制御部１０からＭＤ部３０へ送信される上記制御信号は、ＭＤの再生／記録動作を制御するものであり、記録命令、再生命令、停止命令、一時停止命令、アクセス命令、及び、サーボ系命令等である。また、制御部１０がケーブルＩ２を介してＭＤ部３０から取得する上記各種管理情報は、ＭＤに記録されている目次情報（トラック番号、演奏時間等）やアドレス情報等である。制御部１０は、これら管理情報により、再生するトラックのアドレスや、記録を開始するアドレス等の指定が可能となる。
【００５１】
更に、制御部１０は、ケーブルＣ３、Ｃ４を介してスイッチ４０、５０のスイッチング動作をそれぞれ制御する為の制御信号を出力し、ダビング装置１の動作モード（ＣＤ再生、ＭＤ再生等）を切り替える。
【００５２】
操作部１１は、再生／記録や停止／一時停止等、ＣＤ部２０、ＭＤ部３０に対する各種動作を指示したり、ＣＤ再生、ＭＤ再生等の動作モードを切り替える為の各種操作キーを備える。操作部１１の有する上記各種操作キーにおいて入力された入力信号は、制御部１０に出力される。
【００５３】
表示部１２は、ＬＣＤ（Liquid Crystal Display）等の表示画面を有する。この表示部１２は、制御部１０から出力される各種表示情報を表示する。例えば、ＣＤ及びＭＤに記録されている目次情報（トラック番号、演奏時間等）、ダビング装置１の動作状態（再生中、停止中等）、動作モード（ＣＤ再生、ＭＤ再生等）、及び、再生／記録動作の進行時間等の表示を行う。
【００５４】
ＣＤ部２０は、ＣＤの着脱が可能であり、制御部１０からケーブルＣ１を介して送信される上記各種制御信号に基づいてＣＤの再生に係る各種動作が行われる。また、ＣＤ部２０において再生された情報は、ＣＤ出力端子Ｐ１から出力される。
【００５５】
ＭＤ部３０は、ＭＤの着脱が可能であり、制御部１０からケーブルＣ２を介して送信される上記各種制御信号に基づいてＭＤの再生／記録に係る各種動作が行われる。また、ＭＤ部３０において再生された情報は、ＭＤ出力端子Ｐ２から出力され、ＭＤ部３０において記録される情報は、ＭＤ入力端子Ｐ３から入力される。
【００５６】
Ｄ／Ａ変換器６０は、前段に配設されるスイッチ４０の端子Ｐ４１から入力されるデジタルデータをアナログ信号に変換し、変換されたアナログ信号を後段に配設されるアンプ８０に出力する。
【００５７】
Ａ／Ｄ変換器７０は、入力端子Ｐ７から入力されるアナログ信号をデジタルデータに変換し、この変換されたデジタルデータを後段に配設されるスイッチ５０の端子Ｐ５３に出力する。
【００５８】
アンプ８０は、前段に配設されるＤ／Ａ変換器６０から入力されるアナログ信号を増幅し、出力端子Ｐ６に出力する。
【００５９】
スイッチ４０は、３つの端子Ｐ４１〜Ｐ４３を備える。端子Ｐ４１はＤ／Ａ変換器４０に接続され、端子Ｐ４２はＣＤ出力端子Ｐ１及びスイッチ５０の備える端子Ｐ５２に接続され、端子Ｐ４３はＭＤ出力端子Ｐ２に接続される。スイッチ４０のスイッチング動作は、制御部１０からケーブルＣ３を介して送信される制御信号に応じて行われる。
【００６０】
スイッチ５０は、３つの端子Ｐ５１〜Ｐ５３を備える。端子Ｐ５１はＭＤ入力端子Ｐ３に接続され、端子Ｐ５２はＣＤ出力端子Ｐ１及びスイッチ４０の備える端子Ｐ４２に接続され、端子Ｐ５３はＡ／Ｄ変換器７０に接続される。スイッチ５０のスイッチング動作は、制御部１０からのケーブルＣ４を介して送信される制御信号に応じて行われる。
【００６１】
従って、ＣＤ部２０においてＣＤの再生処理をする場合、制御部１０は、スイッチ４０の端子Ｐ４１を端子Ｐ４２に接続させてＣＤ出力端子Ｐ１とＤ／Ａ変換器６０とを連結させる。これにより、ＣＤ出力端子Ｐ１から出力されたデジタルデータは、スイッチ４０を介してＤ／Ａ変換器６０に出力されてアナログ信号に変換された後、アンプ８０へ出力される。更にこのアナログ信号は、アンプ８０において所定の大きさに増幅され、出力端子Ｐ６に出力される。
【００６２】
また、ＭＤ部３０においてＭＤの再生処理をする場合、制御部１０は、スイッチ４０の端子Ｐ４１を端子Ｐ４３に接続させてＭＤ出力端子Ｐ２とＤ／Ａ変換器６０とを連結させる。これにより、ＭＤ出力端子Ｐ２から出力されたデジタルデータは、スイッチ４０を介してＤ／Ａ変換器６０に出力されてアナログ信号に変換された後、アンプ８０へ出力される。更にこのアナログ信号は、アンプ８０において所定の大きさに増幅され、出力端子Ｐ６に出力される。
【００６３】
ＭＤ部３０において、外部からのアナログ信号をＭＤへ記録する場合、制御部１０は、スイッチ５０の端子Ｐ５１を端子Ｐ５３に接続させてＭＤ入力端子Ｐ３とＡ／Ｄ変換器７０とを連結させる。これにより、入力端子Ｐ７からＡ／Ｄ変換器７０へ出力されたアナログ信号は、Ａ／Ｄ変換器７０においてデジタルデータに変換され、スイッチ５０を介してＭＤ入力端子Ｐ３へ出力される。ＭＤ入力端子Ｐ３から入力された上記デジタルデータは、ＭＤ部３０に内蔵されるエンコーダ（図示略）によるエンコード処理が行われた後、ＭＤに記録される。
【００６４】
また、ＭＤ部３０において、ＣＤ部２０から出力されるデジタルデータをＭＤへ記録する場合、制御部１０は、スイッチ５０の端子Ｐ５１を端子Ｐ５２に接続させてＭＤ入力端子Ｐ３とＣＤ出力端子Ｐ１とを連結させる。これにより、ＣＤ出力端子Ｐ１から出力されたデジタルデータは、スイッチ５０を介してＭＤ入力端子Ｐ３へ出力される。ＭＤ入力端子Ｐ３から入力された上記デジタルデータは、ＭＤ部３０に内蔵されるエンコーダ（図示略）によるエンコード処理が行われた後、ＭＤに記録される。
【００６５】
次に、図３、図４に基づいて動作の説明をする。
図３は、本発明の一実施の形態におけるダビング装置１の高速ダビング処理を説明するフローチャートである。
【００６６】
図３において、ダビングの対象となるＣＤとダビング先のＭＤとは、ダビング装置１に既にセットされているものとする。次いで、このＣＤに記録されている所定の音楽データ（トラック）をＭＤに高速ダビングするためのキー操作が操作部１１において行われると、制御部１０は、当該トラックに係る記録制限タイマが動作しているか否かを判定する（ステップＳ３０１）。
【００６７】
この記録制限タイマは、制御部１０により、高速ダビング処理時においてダビング装置１の有する内蔵メモリにトラック単位でセットされるカウンタである。
【００６８】
ここで、上記記録制限タイマが動作しているか否かの判定処理を詳細に説明する。まず、制御部１０は、このトラック名のカウンタが図２に例示するタイマファイルにセットされているか否かを判定する。このトラック名のカウンタがセットされていない場合、制御部１０は、このトラック名に対応する記録制限タイマは動作していないと判定し、このトラック名のカウンタをこのタイマファイルにセットする。このトラック名のカウンタがセットされている場合、制御部１０は、そのカウント値がゼロであるか否かを判定する。このカウント値がゼロである場合、このトラック名に対応する記録制限タイマは動作していないと判定する。また、カウント値がゼロでない場合、制御部１０は、このトラック名に対応する記録制限タイマは動作していると判定する。
【００６９】
また、高速ダビングの対象となるトラックは、１トラック（１曲）だけに限らず、複数トラック、或いはＣＤに記録されている全トラックであってもよい。特に、複数トラックを高速ダビングする際、ステップＳ３０１において行われる記録制限タイマの動作状況の判定は、１トラック毎に行われる。例えば、ＣＤの１曲目と２曲目が高速ダビングされる場合、まず１曲目のトラックに対応する記録制限タイマの動作状況が判定され、次いで、１曲目の高速ダビングが終了した後に、２曲目のトラックに対応する記録制限タイマの動作状況が判定される。
【００７０】
ステップＳ３０１において、高速ダビングの対象となるトラック名に対応する記録制限タイマが動作中であると判定した場合（ステップＳ３０１；Ｙｅｓ）、制御部１０は、高速ダビングが不可能であること、及び、再び高速ダビングが可能となるまでに要する時間を表示部１２の表示画面上に表示し（ステップＳ３０２）、このトラックに係る高速ダビング処理を一時待機させて予約状態とする（ステップＳ３０３）。次いで、制御部１０は、記録制限タイマのカウント値がゼロになるまで監視し（ステップＳ３０４）、カウント値がゼロになったと判定すると、ステップＳ３０３において予約状態となった高速ダビング処理を実行し（ステップＳ３０５）、後述するステップＳ３０７へ移行する。
【００７１】
なお、予約状態とする高速ダビング処理は複数可能である。予約状態にある第１の高速ダビング処理が存在していても、ＭＤ部３０において記録動作がなされていなければ、同一、もしくは他のＣＤから、所定のトラックに対する第２の高速ダビング処理をダビング装置１に対して要求することができる。この第２のトラックに対して既に記録制限タイマがセットされている場合、第１、及び第２の高速ダビング処理が予約状態となる。
【００７２】
ここで、上記ステップＳ３０２において表示されるメッセージの一例を図５に示す。図５に示すメッセージの表示例では、“ＣＤ  ００１”の表示により、高速ダビングの対象となっているトラックのトラック番号が表示され、また、“ｗａｉｔ  ７３：５９”の表示により、次に高速ダビングが可能となるまでの待ち時間が表示される。更に、上記表示内容を強調するためにインジケータが点滅するようになっている。そして、この待ち時間はカウントダウンしながら表示される。
【００７３】
なお、図５に例示されるメッセージを一定時間後（例えば８秒後）に表示画面上から消すように設定しても良いし、また、ユーザのキー操作がおこなわれるまで表示画面上に表示し続けるようにしたり、或いは、記録制限タイマの動作が停止するまで、すなわち、表示画面上のメッセージが“ｗａｉｔ  ００：００”となるまで表示し続けるようにする等、設定は自由である。
【００７４】
ステップＳ３０１において、高速ダビングの対象となるトラック名に対応する記録制限タイマが動作中ではないと判定した場合、制御部１０は、高速ダビングに係るアプリケーションプログラムの実行により高速ダビングを開始し（ステップＳ３０６）、このトラックに対する記録制限タイマを７４分にセットする（ステップＳ３０７）。
【００７５】
次いで、制御部１０は、高速ダビング処理が継続中か、あるいは終了したかを判定し（ステップＳ３０８）、高速ダビング処理が終了したと判定した場合は（ステップＳ３０８；Ｙｅｓ）、ステップＳ３０９に移行して高速ダビング処理を終了する。
【００７６】
ステップＳ３０８において、高速ダビング処理は継続中であると判定した場合、制御部１０は、高速ダビング中のトラックが高速ダビング開始時と同一であるか、或いは、次のトラックに移行したかを判定する（ステップＳ３１０）。
【００７７】
制御部１０は、次のトラックに移行したと判定した場合（ステップＳ３１０；Ｙｅｓ）、このトラック名に対応する記録制限タイマが動作しているか否かを判定する（ステップＳ３１２）。
【００７８】
次いで、この記録制限タイマは動作していると判定した場合（ステップＳ３１２；Ｙｅｓ）、制御部１０は、高速ダビング処理を停止し（ステップＳ３１３）、ステップＳ３０２に移行して高速ダビングが不可能であること、及び、高速ダビングが可能となるまでに要する時間を表示部１２の表示画面上に表示する。
【００７９】
ステップＳ３１２において、記録制限タイマは動作していないと判定した場合（ステップＳ３１２；Ｎｏ）、制御部１０は、ステップＳ３０７に移行し、この記録制限タイマを７４分にセットして、高速ダビング処理を実行する。
【００８０】
ステップＳ３１０において、高速ダビング中のトラックが高速ダビング開始時と同一であると判定した場合（ステップＳ３１０；Ｎｏ）、制御部１０は、ステップＳ３０７において既にカウントを開始した記録制限タイマを初期化し、改めて７４分にセットし（ステップＳ３１１）、ステップＳ３０８に移行する。
【００８１】
ステップＳ３１１において、高速ダビングが終了するまでの間、記録制限タイマが初期化されることによって高速ダビング中のトラックに対する記録制限タイマは７４分に維持される。すなわち、高速ダビングが終了すると、ステップＳ３１１における記録制限タイマの初期化は行われなくなり、タイマは７４分が経過するまでカウントし続ける。
【００８２】
すなわち、ステップＳ３１１に係る上記動作により、上記記録制限タイマは、高速ダビング終了時にセットされ、その７４分後に解除される。
【００８３】
なお、この記録制限タイマにセットされる時間は７４分に限るものではなく、ＣＤに記録されている全トラックを通常の速度でＭＤへダビングするのに要する時間を超えていれば良い。例えは、７４分ではなく、８０分等としても良い。
【００８４】
また、この記録制限タイマを高速ダビング開始時にセットされるようにしても良い。その場合、制御部１０は、上記ステップ３１０において高速ダビング中のトラックが高速ダビング開始時と同一であると判定すると（ステップＳ３１０；Ｎｏ）、ステップＳ３１１を介さずに直接ステップＳ３０８へ移行する。
【００８５】
図４（ａ）は、本発明の一実施の形態におけるダビング装置１のタイマ割り込み処理を説明するフローチャートであり、図４（ｂ）は、同実施の形態におけるダビング装置１のタイマのカウント処理を説明するフローチャートである。
【００８６】
図４（ａ）に示すタイマ割り込み処理は、例えば１分ごとに発生する割り込み要求に応じて高速ダビング中のトラック毎に実行されるものであり、その各ステップは、図４（ｂ）に示す記録制限タイマのカウント処理によって実行される。この場合、トラックＡ〜Ｃの３曲分音楽データを高速ダビングするものとして以下の動作を説明する。
【００８７】
図４（ａ）に示すように、まず、トラック“Ａ”に対応する記録制限タイマＡのカウント処理を実行し（ステップＳ４１）、トラック“Ａ”のカウント処理が終了すると、トラック“Ｂ”に対応する記録制限タイマＢのカウント処理を実行する（ステップＳ４２）。次いで、トラック“Ｂ”のカウント処理が終了すると、トラック“Ｃ”に対応する記録制限タイマＣのカウント処理を実行し（ステップＳ４３）、タイマ割り込み処理を終了する。
【００８８】
図４（ｂ）に示すように、トラック“＊”（＊は、Ａ、Ｂ、Ｃのうち何れかを示す）のカウント処理では、図２に示すタイマファイルに記録されるトラックＡ〜Ｃ毎にセットされたカウンタ、すなわち、記録制限タイマのカウント値がゼロか否かを判定する（ステップＳ４４）。このカウント値がゼロであると判定した場合、次のトラックのタイマ割り込み処理に戻って、次のトラックのカウント処理に移行する。
【００８９】
ステップＳ４４において、カウント値がゼロではないと判定した場合、このタイマの値から１を引いた値を新たなカウント値としてタイマファイルを更新する（ステップＳ４５）。
【００９０】
なお、タイマ割り込み処理に対する割り込み要求を１分毎に発生するものとしたが、１秒ごとに割り込み要求を発生するようにしても良い。
【００９１】
以上説明したように、本実施の形態におけるダビング装置１による高速ダビング処理によれば、所定トラックの高速ダビング終了後、このトラックに対応する記録制限タイマの動作中に同一トラックの高速ダビングを再度行う場合、この高速ダビング処理は制御部１０において予約登録され、記録制限タイマの動作が停止するまで待機状態となる。その後、記録制限タイマの動作が停止すると、制御部１０は、この予約登録された高速ダビング処理を実行する。
【００９２】
従って、デジタル録音向け高速複製制限システムに係る記録制限タイマの動作により同一トラックを連続して高速ダビングすることができない場合、このトラックの高速ダビング処理を待機状態とし、記録制限タイマの動作が停止すると自動的に高速ダビングが行われるので、ユーザは、記録制限タイマの停止を自ら確認する必要がなく、記録制限タイマの進行状況の確認に要する時間と労力を解消することが可能となる。このため、ユーザにとって使い勝手の良いダビング装置を提供することができる。
【００９３】
なお、本発明は、上記実施の形態の内容に限定されるものではなく、本発明の趣旨を逸脱しない範囲で適宜変更可能である。例えば、ダビング装置１は、複数のＣＤを備えることも可能である。この場合、一度に多くの高速ダビングを予約でき、時間を無駄にすることなく、更に利便性の良いものとなる。
【００９４】
【発明の効果】
請求項１、及び請求項２記載の発明によれば、デジタル録音向け高速複製制限システムに係る高速記録制限モードが動作して同一デジタルデータを連続して高速記録することができない場合、高速記録待機モードを設定することによって、このデジタルデータの高速記録を待機状態とし、高速記録制限モードの解除と同時に自動的に高速記録を行うことができる。従って、ユーザは、高速記録制限モードの解除を自ら確認する必要がなくなり、高速記録制限モードの解除の確認に要する時間と労力を解消することが可能となるため、ユーザにとって使い勝手の良い記録装置を提供することができる。
【図面の簡単な説明】
【図１】本発明の一実施の形態におけるダビング装置１の内部構成を説明する概略ブロック図である。
【図２】本発明の一実施の形態におけるダビング装置１に記憶されるタイマファイルの一例である。
【図３】本発明の一実施の形態におけるダビング装置１の高速ダビング処理を説明するフローチャートである。
【図４】（ａ）は、本発明の一実施の形態のダビング装置１におけるタイマ割り込み処理を説明するフローチャートであり、（ｂ）は、同実施の形態のダビング装置１におけるタイマのカウント処理を説明するフローチャートである。
【図５】本実施の形態のダビング装置１において、高速ダビングが不可能である際、表示部１２の表示画面上に表示される表示内容の一例である。
【図６】従来のＣＤ／ＭＤ一体型記録再生装置における高速ダビング処理を説明するフローチャートである。
【図７】（ａ）は、従来のＣＤ／ＭＤ一体型記録再生装置におけるタイマ割り込み処理を説明するフローチャートであり、（ｂ）は、従来のＣＤ／ＭＤ一体型記録再生装置におけるタイマのカウント処理を説明するフローチャートである。
【図８】従来のＣＤ／ＭＤ一体型記録再生装置において、高速ダビングが不可能である際、同装置の表示部に表示される表示内容の一例である。
【符号の説明】
１    ダビング装置
１０    制御部
１１    操作部
１２    表示部
２０    ＣＤ部
３０    ＭＤ部
４０、５０    スイッチ
６０    Ｄ／Ａ変換器
７０    Ａ／Ｄ変換器
８０    アンプ
Ｃ１〜Ｃ４    ケーブル
Ｉ１〜Ｉ２    ケーブル
Ｐ１    ＣＤ出力端子
Ｐ２    ＭＤ出力端子
Ｐ３    ＭＤ入力端子
Ｐ４１〜Ｐ４３    端子
Ｐ５１〜Ｐ５３    端子
Ｐ６    出力端子
Ｐ７    入力端子
【図１】
0003731081.tif 000002
【図２】
0003731081.tif 000003
【図３】
0003731081.tif 000004
【図４】
0003731081.tif 000005
【図５】
0003731081.tif 000006
【図６】
0003731081.tif 000007
【図７】
0003731081.tif 000008
【図８】
0003731081.tif 000009